(57)【要約】【課題】  コンテンツデータを再生しながら、コンテンツデータのうち、使用者の好みの部分のみを記録することができる記録装置、車載装置及びプログラムを提供すること【解決手段】  Ｓ１００では再生する音楽ソースを選択する。Ｓ１１０では、リッピングモードＡ／Ｂのいずれかを選択する。Ｓ１２０では、リッピングする部分の指定方法を選択する。Ｓ１３０では、音楽ソースの再生を開始する。Ｓ１４０では、ユーザの操作に応じてリッピングを行う。Ｓ１６０では音楽ソースの再生を開始する。Ｓステップ１７０では、インデックスデータに基づいてリッピングを行う。Ｓ１８０では、リッピング方法を選択し、Ｓ１９０で音楽ソースの再生を開始し、Ｓ２００ではトラック単位でリッピングを行う。【選択図】  図３
2005196918.tif 000002
【特許請求の範囲】
【請求項１】
１以上の構成単位から成るコンテンツデータを記憶している可搬記憶媒体から前記コンテンツデータを読み出す読出手段と、
前記読出手段により読み出されたコンテンツデータを再生する再生手段と、
前記再生の実行中に、前記読出手段により読み出されたコンテンツデータの一部又は全部を記録する記録手段と、
を備える記録装置であって、
前記コンテンツデータのうちで前記記録手段へ記録される記録部分の始点である記録開始位置と、前記記録部分の終点である記録終了位置とを設定する記録制御手段を備えるとともに、
前記記録制御手段は、前記記録開始位置及び前記記録終了位置を、前記構成単位における途中の位置に設定可能であることを特徴とする記録装置。
【請求項２】
前記コンテンツデータにおける前記記録開始位置及び／又は前記記録終了位置を指示する記録指示データを読み出す記録指示データ読出手段を有するとともに、
前記記録制御手段は、前記記録開始位置及び／又は前記記録終了位置を、前記記録指示データに基づいて設定することを特徴とする請求項１に記載の記録装置。
【請求項３】
記録開始指示及び記録終了指示を入力可能な記録指示入力手段を備え、
前記記録制御手段は、前記記録開始指示の入力されたタイミングに基づいて前記記録開始位置を設定するとともに、前記記録終了指示の入力されたタイミングに基づいて前記記録終了位置を設定することを特徴とする請求項１に記載の記録装置。
【請求項４】
前記記録制御手段は、前記コンテンツデータにおいて、前記記録開始指示の入力されたタイミングに再生されていた位置を前記記録開始位置とすることを特徴とする請求項３に記載の記録装置。
【請求項５】
前記記録制御手段は、前記コンテンツデータにおいて、前記記録終了指示の入力されたタイミングに再生されていた位置を前記記録終了位置とすることを特徴とする請求項３又は４に記載の記録装置。
【請求項６】
前記記録制御手段は、前記記録開始指示の入力されたタイミングを含む所定期間内に再生されるコンテンツデータのうち、音量が最低である位置を前記記録開始位置とすることを特徴とする請求項３に記載の記録装置。
【請求項７】
前記記録制御手段は、前記記録終了指示の入力されたタイミングを含む所定期間内に再生されるコンテンツデータのうち、音量が最低である位置を前記記録終了位置とすることを特徴とする請求項３又は４に記載の記録装置。
【請求項８】
前記記録手段に次に記録するコンテンツデータと、既に記録したコンテンツデータとの記録順序を設定する記録順序設定手段を有することを特徴とする請求項１〜７のいずれかに記載の記録装置。
【請求項９】
請求項１〜８のいずれかに記載の記録装置を備えた車載装置。
【請求項１０】
コンピュータを請求項１〜８のいずれかに記載の記録装置の記録制御手段として機能させるプログラム。
【発明の詳細な説明】
【技術分野】
【０００１】
本発明は、例えば、楽曲信号等のコンテンツデータを可搬記憶媒体から読み出して再生しながら、記録手段に記録する記録装置、車載装置、及びプログラムに関する。
【背景技術】
【０００２】
従来より、音楽ＣＤから楽曲信号を読み出してハードディスク等に記憶できる記録再生装置が知られている（特許文献１参照）。特に、車載のカーナビゲーション装置やカーオーディオ装置では、音楽ＣＤ等に記憶された楽曲信号を再生しながら、同時に装置に搭載されているハードディスク等の記録装置にコンテンツを記憶するリッピング機能を有している。
【特許文献１】特開２００１−２９１３２０号公報
【発明の開示】
【発明が解決しようとする課題】
【０００３】
しかしながら、従来のリッピング機能では、ＣＤ一枚丸ごとの録音や、指定したトラック単位の録音しかできなかった。そのため、ある１つの楽曲の中で、使用者の好みの部分のみ（ある音楽の好みのフレーズのみ）を抽出して録音することはできなかった。
【０００４】
本発明は以上の点に鑑みなされたものであり、コンテンツデータを再生しながら、コンテンツデータのうち、使用者の好みの部分のみを記録することができる記録装置、車載装置及びプログラムを提供することを目的とする。
【課題を解決するための手段】
【０００５】
（１）請求項１の記録装置は、ＣＤ等の可搬記憶媒体に記憶された楽曲データ等のコンテンツデータを読出手段により読み出し、再生手段により再生しているときに、読み出されたコンテンツデータをハードディスク等の記録手段に記録するリッピング機能を実行することができる。このとき、記録制御手段は、コンテンツデータのうち、記録手段に記録（リッピング）する記録部分の記録開始位置と記録終了位置とを設定するが、それら記録開始位置及び記録終了位置は、コンテンツデータの構成単位（例えばコンテンツデータが楽曲信号である場合にはトラック）における途中の位置に設定可能である。
そのため、本発明によれば、コンテンツデータを再生しているときに、ユーザの好みに応じて、コンテンツデータの構成単位の中の一部のみを記録（リッピング）することができる。このことにより、例えば、コンテンツデータが楽曲信号である場合、楽曲信号に含まれる各トラックについて、使用者の好みの部分のみを記録し、楽曲メドレーを作成することができる。
（２）請求項２の記録装置は、記録指示データ読出手段により記録指示データを読み出す。この記録指示データは、コンテンツデータのうち記録手段に記録する部分についての記録開始位置、記録終了位置、またはそれらの両方を指示するデータである。そして、記録装置が備える記録制御手段は、記録指示データに基づいて、コンテンツデータを記録する際の記録開始位置、記録終了位置、またはそれらの両方を設定する。そのため、本発明によれば、記録開始位置、記録終了位置、またはその両方の設定が容易であり、また正確な設定が可能である。
前記記録指示データは、記録手段に記録しておいても良いし、それを管理しているサーバからインターネット経由で取得することもできる。また、記録指示データは、例えば、コンテンツデータが音楽ＣＤ等に記憶された楽曲信号である場合は、インデックスデータの中に記録することができる。このインデックスデータとは、音楽ＣＤ等のアーティスト名称／アルバム名称／ジャンルデータ等を記憶しているデータである。
（３）請求項３の記録装置では、コンテンツデータを記録（リッピング）する際に、記録指示入力手段に記録開始指示の入力されたタイミングに基づいて記録開始位置を設定するとともに、記録終了指示の入力されたタイミングに基づいて記録終了位置を設定する。そのため、ユーザは好みのタイミングで記録開始指示や記録終了指示を入力し、自由に記録開始位置や記録終了位置を設定できる。
（４）請求項４の記録装置では、コンテンツデータにおいて、記録開始指示の入力されたタイミングに再生されていた位置を記録開始位置とする。そのことにより、ユーザは好みのタイミングで記録開始指示を入力し、自由に記録開始位置を設定できる。
（５）請求項５の記録装置では、コンテンツデータにおいて、記録終了指示の入力されたタイミングに再生されていた位置を記録終了位置とする。そのことにより、ユーザは好みのタイミングで記録終了指示を入力し、自由に記録終了位置を設定できる。
（６）請求項６の記録装置において、記録制御手段は、記録開始指示の入力されたタイミングを含む所定期間内に再生されるコンテンツデータのうち、音量が最低である位置を記録開始位置とする。
そのことにより、例えば、ユーザがコンテンツデータの節目となる位置（楽曲信号における小節の区切り等、音量が小さくなる位置）から記録を開始しようとしたが、記録開始指示を入力するタイミングがその節目となる位置が再生されるタイミングからずれてしまった場合でも、その節目となる位置から記録（リッピング）を開始することができる。
（７）請求項７の記録装置において、記録制御手段は、記録終了指示の入力されたタイミングを含む所定期間内に再生されるコンテンツデータのうち、音量が最低である位置を記録終了位置とする。そのことにより、例えば、ユーザがコンテンツデータの節目となる位置（楽曲信号における小節の区切り等、音量が小さくなる位置）にて記録を終了しようとしたが、記録終了指示を入力するタイミングがその節目となる位置が再生されるタイミングからずれてしまった場合でも、その節目となる位置にて記録（リッピング）を終了することができる。
（８）請求項８の記録装置は、記記録手段に次に記録（リッピング）するコンテンツデータと、既に記録したコンテンツデータとの記録順序を設定する記録順序設定手段を有するので、記録手段にコンテンツデータを記録する順序をユーザの好みに応じて設定することができる。
（９）請求項９の車載装置は、請求項１〜８のいずれかに記載の記録装置を備えることにより、上記請求項１〜８の記録装置と同様の効果を奏することができる。
（１０）請求項１０のプログラムを用いてコンピュータを請求項１〜８のいずれかに記載の記録装置の記録制御手段として機能させることができる。
【０００６】
本発明のプログラムは、磁気ディスク、光磁気ディスク、メモリカード等のコンピュータが読み取り可能な記録媒体に記録し、必要に応じてコンピュータにロードして起動することにより用いることができる。また、ネットワークを介してロードして起動することにより用いることもできる。従って、機能アップ等を容易に行うことができる。
【発明を実施するための最良の形態】
【０００７】
以下に本発明の記録装置、車載装置、及びプログラムの形態の例（実施例）を説明する。
【実施例１】
【０００８】
ａ）まず、本発明の記録装置を適用した車載装置であるオーディオ一体ナビ１の構成を図１及び図２を用いて説明する。オーディオ一体ナビ１は、車両の現在位置を検出する位置検出器３と、ユーザからの各種指示を入力するための操作スイッチ群５と、ＣＤドライブ７と、ＤＶＤドライブ９と、ＭＤドライブ１１と、ラジオ放送信号を受信するためのＦＭ／ＡＭチューナ１３と、テレビ放送信号を受信するためのＴＶチューナ１５と、各地図や各種情報の表示を行うための表示装置１７と、外部メモリ１９と、各種データを記憶するための外部記憶メディア（ハードディスク）２１と、各種の音声を出力するためのオーディオアンプ２３及びスピーカ２５と、上述した位置検出器３、操作スイッチ群５、ＣＤドライブ７、ＤＶＤドライブ９、ＭＤドライブ１１、ＦＭ／ＡＭチューナ１３、ＴＶチューナ１５、表示装置１７、外部メモリ１９、外部記憶メディア２１、オーディオアンプ２３、スピーカ２５等を制御する制御回路２７とを備えている。
【０００９】
検出装置３は、ＧＰＳ（Global Positioning System）用の人工衛星からの送信電波をＧＰＳアンテナを介して受信し、車両の位置、方位、速度等を検出するＧＰＳ受信機３ａと、車両の前後方向の加速度等から走行した距離を検出するための距離センサ３ｂと、車両に加えられる回転運動の大きさを検出するジャイロスコープ３ｃと、地磁気から進行方向を検出するための地磁気センサ３ｄとを備えている。そして、これら各センサ３ａ〜３ｄは、各々が性質の異なる誤差を有しているため、互いに補完するように構成されている。
【００１０】
操作スイッチ群５としては、表示装置１７と一体に構成され、表示画面上に設置されるタッチパネル、リモコンのスイッチ、及び表示装置１７の周囲に設けられたメカニカルなキースイッチ等が用いられる。尚、タッチパネルと表示装置１７とは積層一体化されており、タッチパネルには、感圧方式、電磁誘導方式、静電容量方式、あるいはこれらを組み合わせた方式等各種の方式があるが、その何れを用いてもよい。
【００１１】
ＣＤドライブ７は、図示しないＣＤ−ＲＯＭ（可搬記憶媒体）に記憶された各種データを読み出すための装置である。このＣＤドライブ７にて読み出す対象のＣＤ−ＲＯＭとしては、例えば地図データ（道路の形状データ、道路の幅員データ、道路の規制データ、地形データ、マークデータ、交差点データ、施設のデータ等）等が記憶されたいわゆる地図ＣＤや、楽曲信号が記憶されたいわゆる音楽ＣＤ等がある。
【００１２】
ＤＶＤドライブ９は、図示しないＤＶＤメディア（可搬記憶媒体）に記憶された各種データを読み出すための装置である。このＤＶＤドライブ９にて読み出す対象のＤＶＤメディアとしては、上記ＣＤ−ＲＯＭと同様に、地図情報や楽曲信号が記憶されたものがある。
ＭＤドライブ１１は、図示しないＭＤメディア（可搬記憶媒体）に記憶された各種データを読み出すための装置である。このＭＤドライブ１１にて読み出す対象のＭＤメディアとしては、上記ＣＤ−ＲＯＭ及びＤＶＤメディアと同様に、地図情報や楽曲信号が記憶されたものがある。
表示装置１７は、カラー表示装置であり、液晶ディスプレイ、有機ＥＬディスプレイ、ＣＲＴ等があるが、その何れを用いてもよい。表示装置１７の表示画面には、位置検出器３にて検出した車両の現在位置と、ＣＤドライブ７より入力された地図データから特定した現在地を示すマーク、目的地までの誘導経路、名称、目印、各種施設のマーク等の付加データとを重ねて表示することができる。また、表示装置１７は、ＣＤドライブ７、ＤＶＤドライブ９、ＭＤドライブ１１、ＦＭ・ＡＭチューナ１３、ＴＶチューナ１５の再生状況、ＴＶチューナ１５からのＴＶ画像、タッチパネル式の操作スイッチ等を表示できる。
外部記憶メディア２１は、ＣＤドライブ７を介して音楽ＣＤから読み出された楽曲信号、ＤＶＤドライブ９を介してＤＶＤメディアから読み出された楽曲信号、ＭＤドライブ１１を介してＭＤメディアから読み出された楽曲信号を格納することができる。また、楽曲信号を再生させる場合におけるユーザの選択等を容易にするため、楽曲信号をインデックスデータと対応させて格納することができる。このインデックスデータは、音楽ソース（音楽ＣＤ等）に対応して、そのアーティスト名称／アルバム名称／ジャンルデータ等を記憶しているとともに、後述するリッピング処理に用いるリッピング開始タイミング及びリッピング終了タイミングを記憶しているデータである。インデックスデータは、それを管理しているサーバからインターネット経由で取得することができる。
【００１３】
また、外部記憶メディア２１は、ＣＤドライブ７を介して地図ＣＤから読み出された地図データや施設ガイド、各種案内のための音声データ、その他画像データ等も記憶させることができる。尚、この地図データは、外部記憶メディア２１に記憶するのではなく、ＤＶＤドライブ１１から読み込んでもよい。
外部記憶メディア２１としては、記憶するデータ量からハードディスクが一般的であるが、大容量のメモリーカードを用いてもよい。また、外部記憶メディア２１を、２台以上のハードディスクから構成し、楽曲信号と地図データ等とは、別々のハードディスクに記憶してもよい。
オーディオアンプ２３は音声を増幅するためのものであり、その増幅された音声は、スピーカ２５から出力される。スピーカ２５は、例えば、４個、５個等複数から構成され、車両内に配置されている。そして、外部記憶メディア２１に記憶された施設のガイドや各種案内の音声データに基づいて制御回路２７が実行する処理の結果としてのガイド音声や、外部記憶メディア２１に記憶された楽曲信号に基づいて制御回路２７が再生した楽曲信号を出力することができる。また、ＦＭ／ＡＭチューナ１３、ＴＶチューナ１５を介して受信した放送信号に基づく音声も出力することができる。
制御回路２７は、図２に示すように、ＣＰＵ２９、ＲＯＭ、ＲＡＭ等のメモリ３１、通信ドライバ３３、エンコーダ３５、デコーダ３７、及びこれらを接続する図示しないバスラインやＩ／Ｏ等から構成されており、メモリ３１に記憶されたプログラムに基づいて各種処理を実行する。
例えば、ナビゲーション関連の処理としては、位置検出器３からの検出信号に基づき座標及び進行方向の組として車両の現在位置を算出し、外部記憶メディア２１から読み込んだ現在位置付近の地図等を表示装置１７に表示する表示処理や、外部記憶メディア２１に格納された地点データと、操作スイッチ群５の操作に従って設定された目的地とに基づいて、現在位置から目的地までの最適な経路を算出し、その算出した経路を案内する経路案内処理等を行う。
また、音楽ＣＤの録音再生関連の処理としては、ＣＤドライブ７を介して音楽ＣＤから読み出した楽曲信号を外部記憶メディア２１に記録する録音処理や、操作スイッチ群５の操作に従って選択された対象となる楽曲信号を外部記憶メディア２１から読み出して再生し、再生した楽曲信号をオーディオアンプ２３に出力する再生処理や、ＣＤドライブ７を介して音楽ＣＤから読み出した楽曲信号をオーディオアンプ２３に出力するとともに外部記憶メディア２１に記録するリッピング処理がある。このリッピング処理については後に詳述する。
【００１４】
本実施例１のオーディオ一体ナビ１において、制御回路２７、ＣＤドライブ７、ＤＶＤドライブ９、及びＭＤドライブ１１は読出手段に該当する。また、制御回路２７、オーディオアンプ２３、及びスピーカ２５は再生手段に該当する。また、外部記憶メディア２１は記録手段に該当する。また、制御回路２７は、記録制御手段、記録指示データ読出手段、及び記録順序設定手段に該当する。また、表示装置１７は、記録指示入力手段に該当する。
【００１５】
ｂ）次に、本実施例１のオーディオ一体ナビ１が実行するリッピング処理について説明する。
まず、リッピング処理時におけるデータの流れを図２を用いて説明する。尚、ここではＣＤドライブ７からデジタルデータ（コンテンツデータ、楽曲信号）を読み出す例を説明しているが、ＣＤドライブ７の代わりに、ＤＶＤドライブ９又はＭＤドライブ１１からデジタルデータを読み出してもよい。
ＣＰＵ２９からＣＤドライブ７を制御して、音楽ＣＤのデジタルデータをＣＤドライブ７により読み出す。読み出したデジタルデータは、オーディオアンプ２３にて増幅された後、スピーカ２５から発音される。また、ＣＤドライブ７から読み出されたデジタルデータのうち、記録される部分は、エンコーダ３５に取り込まれる。エンコーダ３５は、ＣＰＵ２９により制御されており、デジタルデータを外部記憶メディア２１に記憶できるフォーマットに圧縮し、通信ドライバ３３を介して外部記憶メディア２１に書き込む。ここでのフォーマットとしては、ＭＰ３や、ＡＴＲＡＣＫ３、ＡＡＣなど、音質の劣化を最小限に抑えながら圧縮効率の良い非可逆なフォーマットを採用しても良いし、音質を全く損なわないが圧縮率の悪い可逆なフォーマットを採用してもよい。外部記憶メディア２１には上記フォーマットに沿ったファイル形式で保存される。ＣＰＵ２９の能力が高ければ、ＣＰＵ２９でソフト的にデジタルデータをエンコードしても良い。
【００１６】
尚、リッピング処理により外部記憶メディア２１に記録した音楽ファイルは、次のようにして再生することができる。つまり、外部記憶メディア２１に記録した音楽ファイルは、通信ドライバ３３を介して読み出され、デコーダ３７に読み込まれる。デコーダ３７によってデコードしたストリーム音声は、図示しないＤＡＣでアナログ信号に変換されてオーディオアンプ２３に渡され、オーディオアンプ２３にて増幅された後、スピーカ２５から発音される。
【００１７】
次に、リッピング処理時における制御回路２７の動作について図３〜図７を用いて説明する。ここで、図３は、リッピング処理を表すフローチャートである。また、図４〜図７は、リッピング処理時において表示装置１７に表示される画面を表す図である。
【００１８】
図３のステップ１００では、ＣＤドライブ７、ＤＶＤドライブ９、ＭＤドライブ１１により読み出し可能な音楽ソースの中から、リッピング処理を行う音楽ソースを選択する。この音楽ソースの選択は、表示装置１７にＣＤドライブ７、ＤＶＤドライブ９、ＭＤドライブ１１により読み出し可能な音楽ソースを表示しておき、ユーザのタッチパネル操作により選ばれたものを選択する。尚、この実施例１では、音楽ソースとして、ＣＤドライブ７に挿入された音楽ＣＤが選択された場合を例にとって説明する。
【００１９】
ステップ１１０では、リッピング処理のモードとして、モードＡ／モードＢのうちの一方を選択する。具体的には、表示装置１７に、モードＡ／モードＢの文字をそれぞれ表示しておき、ユーザがタッチパネル操作により選んだ方を選択する。モードＡを選択した場合はステップ１２０に進み、モードＢを選択した場合はステップ１８０に進む。
【００２０】
ステップ１２０では、音楽ＣＤから読み出すデジタルデータのうち、リッピング処理により記録する部分の設定方法が手動であるか、インデックスデータを用いる方法であるかを選択する。具体的には、表示装置１７に、手動／インデックスデータの文字をそれぞれ表示しておき、ユーザのタッチパネル操作により選ばれた方を選択する。手動により指定する方法を選択した場合はステップ１３０に進み、インデックスデータを用いる方法を選択した場合はステップ１６０に進む。
【００２１】
ステップ１３０では、表示装置１７に図４に示す画面を表示する。この画面には、ステップ１００にて選択した音楽ＣＤのアルバム名、タイトル名、アーティスト名、及び再生中のトラックＮｏが表示される。そして、画面の下部には、再生、リッピング開始、リッピング終了の操作スイッチが設けられており、画面の右上にはリッピング設定のスイッチが設けられている。ユーザが再生スイッチを押すと、ステップ１００にて選択された音楽ＣＤのトラックＮｏ１から再生が開始し、各トラックを順次再生する。
【００２２】
ステップ１４０では、音楽ＣＤが再生されている中で、ユーザが図４の画面におけるリッピング設定スイッチを押すと、表示装置１７に、図５に示すリッピング設定の画面を表示する。この画面は、リッピングにより次に記憶するデジタルデータと、既に記憶されているデジタルデータとの記憶順序を設定する画面であり、図５は、先に実行したリッピングにより５つのデジタルデータＡ〜Ｅが既に外部記憶メディア２１に記憶されている場合の画面である。ユーザは、画面右側の操作スイッチにより、黒矢印の位置を、Ａの上、ＡとＢとの間、ＢとＣとの間、ＣとＤとの間、ＤとＥとの間、Ｅの下のうちのいずれかに設定することができる。黒矢印の位置をＡの上に設定した場合、次のリッピングにより記憶されるデジタルデータは、Ａの前に記憶される。また、黒矢印の位置をＡとＢとの間に設定した場合は、次のリッピングにより記憶されるデジタルデータは、ＡとＢとの間に記憶される。同様に、黒矢印の位置をＢとＣとの間に設定した場合、ＣとＤとの間に設定した場合、ＤとＥとの間に設定した場合、Ｅの下に設定した場合は、次のリッピングにより記憶されるデジタルデータは、それぞれ、ＢとＣとの間、ＣとＤとの間、ＤとＥとの間、Ｅの後に記憶される。尚、ここでいう記憶の順序とは、リッピングにより記憶した楽曲信号を再生する場合における再生順序である。
【００２３】
リッピング設定が終了し、ユーザが図５の画面右上に設けられた、戻ると表示されたスイッチを押すと、表示装置１７の画面は図４の画面に戻る。ユーザは、音楽ＣＤが再生されている中で、リッピングを開始したいタイミングで図４のリッピング開始スイッチを押し、リッピングを終了したいタイミングでリッピング終了スイッチを押す。すると、制御
回路２７は、再生されている音楽ＣＤのデジタルデータのうち、リッピング開始スイッチを押したタイミングに再生されていた位置（記録開始位置）から、リッピング終了スイッチを押したタイミングに再生されていた位置（記録終了位置）までをリッピングし、外部記憶メディア２１に記憶する。リッピング開始スイッチとリッピング終了スイッチを押すタイミングは、１つのトラック（コンテンツデータの構成単位）の途中（つまり１つの楽曲の途中）であってもよい。新たにリッピングされたデジタルデータは、外部記憶メディア２１において、リッピング設定画面にて設定した記録順序に従って記憶される。
尚、ユーザは、音楽ＣＤが再生されている中で、リッピング設定を行わずに、そのままリッピング開始スイッチ及びリッピング終了スイッチの操作を行ってもよい。この場合は、リッピング開始スイッチを押してからリッピング終了スイッチを押すまでに再生された音楽ＣＤのデジタルデータは、外部記憶メディア２１において、それまでに記憶されたデジタルデータの最後尾に記憶される。例えば、図５に示す場合では、Ｅの次に記憶される。音楽ＣＤの再生が終了するとリッピング処理も終了する。
一方、前記ステップ１２０にてインデックスデータを用いる方法を選択した場合はステップ１６０に進み、ステップ１００にて選択した音楽ＣＤの再生を開始する。
ステップ１７０では、外部記憶メディア２１に予め記憶しているインデックスデータの中から、再生している音楽ＣＤに対応するものを読み出す。このインデックスデータには、音楽ＣＤのアーティスト名称／アルバム名称／ジャンルデータ等とともに、各トラックごとに、リッピング開始タイミング（記録指示データ）と、リッピング終了タイミング（記録指示データ）とが記憶されている。ここで、リッピング開始タイミングとは、該当するトラックの再生開始時刻を基準として定められた、リッピングを開始するタイミングである。また、リッピング終了タイミングとは、該当するトラックの再生開始時刻を基準として定められた、リッピングを終了するタイミングである。
制御回路２７は、音楽ＣＤの各トラックが再生されているとき、インデックスデータから読み出したリッピング開始タイミングに達するとデジタルデータの記憶（リッピング）を開始し、インデックスデータから読み出したリッピング終了タイミングに達するとデジタルデータの記憶（リッピング）を終了する。このことにより、デジタルデータのうち、リッピング開始タイミングに再生されていた位置（記録開始位置）から、リッピング終了タイミングに再生されていた位置（記録終了位置）までを外部記憶メディア２１に記憶することができる。音楽ＣＤの再生が終了するとリッピング処理も終了する。
一方、前記ステップ１１０にてモードＢを選択した場合はステップ１８０に進む。このステップ１８０では、表示装置１７に図６の画面を表示する。この画面には音楽ＣＤのタイトルと、各トラックの曲名と、各トラックに対応したリッピング選択スイッチと、全選択スイッチとが表示される。ユーザは、リッピングを行いたいトラックに対応するリッピング選択スイッチをＯＮにする。また、ユーザは、全てのトラックをリッピングしたい場合は、全選択のスイッチをＯＮにする。
ステップ１９０では、ユーザが図６の画面における再生スイッチを押すと、音楽ＣＤの再生をトラック１から開始する。
ステップ２００では、音楽ＣＤの再生をトラック１から順次行いながら、ステップ１８０にてリッピングするトラックとして選択したトラック全体を外部記憶メディア２１に記憶する。このステップ２００では、再生しているトラックに応じて、表示装置１７に図７の画面を表示する。この画面は、トラックＮｏ、アルバム名、タイトル名、アーティスト名を表示している。音楽ソースの再生が終了するとリッピング処理も終了する。
ｃ）次に本実施例１のオーディオ一体ナビ１が奏する効果を説明する。
【００２４】
(i)本実施例１のオーディオ一体ナビ１では、ユーザがリッピングモードＡを選択した場合には、再生している音楽ＣＤのデジタルデータのうち、リッピングする部分の記録開始位置と記録終了位置とを、音楽ＣＤの各トラックにおける途中に設定することができる。そのため、ユーザの好みに応じて、各トラックの一部のみを外部記憶メディア２１に記憶し、楽曲メドレーを作成することができる。
(ii)本実施例１のオーディオ一体ナビ１では、音楽ＣＤのデジタルデータのうちリッピングする部分の記録開始位置及び記録終了位置を、インデックスデータに記憶したリッピング開始タイミング及びリッピング終了タイミングに基づいて設定することができるので、それらの設定が容易であり、また正確な設定が可能である。
(iii) 本実施例１のオーディオ一体ナビ１では、ユーザが表示装置１７のタッチパネル上のリッピング開始スイッチを押すと、その時点で再生されていたデジタルデータが記録開始位置となる。また、ユーザがリッピング終了スイッチを押すと、その時点で再生されていたデジタルデータが記録終了位置となる。そのため、ユーザの好みに応じて、自由に記録開始位置と記録終了位置とを設定することができる。
【実施例２】
【００２５】
本実施例２のオーディオ一体ナビ１の構成及び動作は基本的には前記実施例１と同様である。但し、ユーザがリッピング開始スイッチ（図４参照）を押したタイミングに基づいて記録開始位置を定める方法と、ユーザがリッピング終了スイッチ（図４参照）を押したタイミングに基づいて記録終了位置を定める方法とにおいて相違する。以下、この相違点について図８を用いて説明する。
【００２６】
図８は、再生されるデジタルデータにおける音量の時間変化を表す図である。つまり、図８の横軸は時間を表し、縦軸は、デジタルデータが再生された際の音量を表す。
本実施例２では、音楽ＣＤの再生中、ユーザがＡのタイミングでリッピング開始スイッチを押した場合、制御回路２７は、Ａ−αからＡ＋αまでの時間に再生されるデジタルデータの中で、最も音量の小さくなるタイミングＢを検出する。そして、デジタルデータにおいて、このタイミングＢに再生される位置を記録開始位置とする。
また、ユーザがリッピング開始スイッチを押した後、Ｃのタイミングでリッピング終了スイッチを押した場合、制御回路２７は、Ｃ−αからＣ＋αまでの時間に再生されるデジタルデータの中で、最も音量の小さくなるタイミングＤを検出する。そして、デジタルデータにおいて、このタイミングＤに再生される位置を記録終了位置とする。
本実施例２によれば、ユーザがデジタルデータの節目となる位置（小節の区切り等、音量が小さくなる位置）からリッピングを開始しようとしたが、リッピング開始スイッチを押すタイミングがその節目となる位置が再生されるタイミングからずれてしまった場合でも、その節目となる位置からリッピングを開始することができる。
また、本実施例２によれば、ユーザがデジタルデータの節目となる位置（小節の区切り等、音量が小さくなる位置）にてリッピングを終了しようとしたが、リッピング終了スイッチを押すタイミングがその節目となる位置が再生されるタイミングからずれてしまった場合でも、その節目となる位置にてリッピングを終了することができる。
【００２７】
更に、本実施例２のオーディオ一体ナビ１は、前記実施例１と同様の効果を奏することができる。
尚、本発明は前記実施例になんら限定されるものではなく、本発明を逸脱しない範囲において種々の態様で実施しうることはいうまでもない。
【００２８】
例えば、前記実施例１又は実施例２の装置は、オーディオ一体ナビではなく、カーオーディオシステムとしてもよい。この場合、位置検出器３や、外部記憶メディア２１に記憶する地図データはなくともよい。
【００２９】
また、前記実施例２において、ユーザがタイミングＡにてリッピング開始スイッチを押した場合、Ａ−ａからＡ＋αの期間内で音量が極小値となり且つ最小値となるタイミングＢがあれば、そのＢに再生される位置を記録開始位置とし、そのようなＢがない場合は、Ａに再生される位置を記録開始位置としてもよい。同様に、ユーザがタイミングＣにてリッピング終了スイッチを押した場合、Ｃ−ａからＣ＋αの期間内で音量が極小値となり且つ最小値となるタイミングＤがあれば、そのＤに再生される位置を記録終了位置とし、そのようなＤがない場合は、Ｃに再生される位置を記録終了位置としてもよい。
【図面の簡単な説明】
【００３０】
【図１】オーディオ一体ナビ１の構成を表すブロック図である。
【図２】リッピングに関与する部分の構成を表すブロック図である。
【図３】リッピング処理を表すフローチャートである。
【図４】リッピング処理に置いて表示装置に表示される画面を表す説明図である。
【図５】リッピング処理に置いて表示装置に表示される画面を表す説明図である。
【図６】リッピング処理に置いて表示装置に表示される画面を表す説明図である。
【図７】リッピング処理に置いて表示装置に表示される画面を表す説明図である。
【図８】リッピングの開始及び終了タイミングの設定方法を表す説明図である。
【符号の説明】
【００３１】
１・・・オーディオ一体ナビ
３・・・位置検出器
５・・・操作スイッチ群
７・・・ＣＤドライブ
１７・・・表示装置
２１・・・外部記憶メディア
２３・・・オーディオアンプ
２５・・・スピーカ
２７・・・制御回路
２９・・・ＣＰＵ
３１・・・メモリ
３３・・・通信ドライバ
３５・・・エンコーダ
３７・・・デコーダ
【図１】
2005196918.tif 000003
【図２】
2005196918.tif 000004
【図３】
2005196918.tif 000005
【図４】
2005196918.tif 000006
【図５】
2005196918.tif 000007
【図６】
2005196918.tif 000008
【図７】
2005196918.tif 000009
【図８】
2005196918.tif 000010